(57)【要約】【課題】  ユーザの利用形態に応じた適切な機能切替が可能な携帯端末を提供すること。【解決手段】  この携帯端末１は、所定の切替条件が満たされているか否かを判定して、切替条件が満たされた場合に、機能設定を所定の動作モードに切り替える携帯端末であって、切替条件と所定の動作モードを特定するモード情報とを関連づけて格納する第１及び第２切替情報格納部１８，１９と、非接触ＩＣカード部１２と、非接触ＩＣカード部１２によって受信されたデータに基づいて、第２切替情報格納部１９に格納されている切替条件を満たしているか否かを判定する切替判定部１５と、切替条件を満たしていると判定された場合に、第１切替情報格納部１８を参照することにより、機能設定を切替条件に対応する動作モードに切り替えるモード切替部１６とを備える【選択図】  図１
2006050262.tif 000002
【特許請求の範囲】
【請求項１】
所定の切替条件が満たされているか否かを判定して、前記切替条件が満たされた場合に、機能設定を所定の動作モードに切り替える携帯端末であって、
前記切替条件と前記所定の動作モードを特定するモード情報とを関連づけて格納する切替情報格納手段と、
近距離通信を用いてデータを受信する近距離通信手段と、
前記近距離通信手段によって受信されたデータに基づいて、前記切替情報格納手段に格納されている前記切替条件を満たしているか否かを判定する切替判定手段と、
前記切替判定手段によって前記切替条件を満たしていると判定された場合に、前記切替情報格納手段を参照することにより、機能設定を前記切替条件に対応する前記動作モードに切り替えるモード切替手段と、
を備えることを特徴とする携帯端末。
【請求項２】
測位処理を行って第１の位置情報を取得する測位手段を更に備え、
前記切替情報格納手段は、切替条件として所定のエリアを示すエリア情報を含んで格納しており、
前記切替判定手段は、前記第１の位置情報で特定される位置が、前記エリア情報の示す所定のエリア内にあるか否かを併せて判定する、
ことを特徴とする請求項１記載の携帯端末。
【請求項３】
前記近距離通信手段は、近距離通信により第２の位置情報を受信し、
前記切替判定手段は、前記測位手段による測位が失敗した場合には、前記第１の位置情報に代えて前記第２の位置情報を用いて判定する、
ことを特徴とする請求項２記載の携帯端末。
【請求項４】
前記切替判定手段は、前記測位手段による測位が失敗したか否かを、測位処理に用いる測位信号の受信可否によって判断する、
ことを特徴とする請求項３記載の携帯端末。
【請求項５】
前記切替情報格納手段は、切替条件として所定の時間を示す時間情報を含んで格納しており、
前記切替判定手段は、現在の時刻が前記時間情報の示す時間内であるか否かを併せて判定する、
ことを特徴とする請求項１〜４のいずれか１項に記載の携帯端末。
【発明の詳細な説明】
【技術分野】
【０００１】
本発明は、携帯端末に関するものである。
【背景技術】
【０００２】
従来から、着信音やバイブレータ機能のオン−オフを自動的に切り替える携帯端末が知られている。このような携帯端末としては、例えば、下記特許文献１記載の携帯電話装置がある。この携帯電話装置は、予め指定時間とその指定時間における着信音の種類とに関するデータを記憶させておいて、指定時間になったら着信音の設定を予め記憶されている着信音の種類に切り替えるというものである。
【０００３】
一方、下記特許文献２記載の携帯電話においては、携帯電話の位置情報と車両の位置情報に基づいて、携帯電話の位置と車両の位置とが所定の距離以下である場合に、動作モードをドライブモードに切り替えることが行われている。これらの技術は、携帯端末のユーザによる操作を省力化させながら適時な機能設定の切替を可能とするものである。
【特許文献１】特開２００４−２３３４４号公報
【特許文献２】特開２００２−２４７６４２号公報
【発明の開示】
【発明が解決しようとする課題】
【０００４】
しかしながら、上述した従来の携帯端末においては、場所と位置に応じて機能設定を切り替えることは可能であるが、携帯端末の利用形態によって切り替えることは実現されていない。特に最近では、携帯端末に定期券機能、社員証機能、電子商取引機能等を搭載して外部装置とのデータ交換が可能とされており、このような場合に時間や場所の条件のみで機能設定を切り替えるだけでは不十分であった。
【０００５】
そこで、本発明は、かかる課題に鑑みて為されたものであり、ユーザの利用形態に応じた適切な機能切替が可能な携帯端末を提供することを目的とする。
【課題を解決するための手段】
【０００６】
上記課題を解決するため、本発明の携帯端末は、所定の切替条件が満たされているか否かを判定して、切替条件が満たされた場合に、機能設定を所定の動作モードに切り替える携帯端末であって、切替条件と所定の動作モードを特定するモード情報とを関連づけて格納する切替情報格納手段と、近距離通信を用いてデータを受信する近距離通信手段と、近距離通信手段によって受信されたデータに基づいて、切替情報格納手段に格納されている切替条件を満たしているか否かを判定する切替判定手段と、切替判定手段によって切替条件を満たしていると判定された場合に、切替情報格納手段を参照することにより、機能設定を切替条件に対応する動作モードに切り替えるモード切替手段とを備えることを特徴とする。
【０００７】
このような携帯端末によれば、切替情報格納手段が、切替条件に関するデータと切替先の動作モードに関するデータとを関連づけて格納し、切替判定手段が、近距離通信手段によって受信されたデータに基づいて、切替情報格納手段に格納されている切替条件を満たしているかを判定し、モード切替手段が、切替条件を満たしている場合に、機能設定をその切替条件に対応する動作モードに切り替える。これにより、近距離通信を利用して実行される機能の利用形態に応じて、機能設定を所望の動作モードに切り替えることができる。
【０００８】
また、測位処理を行って第１の位置情報を取得する測位手段を更に備え、切替情報格納手段は、切替条件として所定のエリアを示すエリア情報を含んで格納しており、切替判定手段は、第１の位置情報で特定される位置が、エリア情報の示す所定のエリア内にあるか否かを併せて判定することが好ましい。このような構成とすれば、端末の利用形態と併せて位置を切替条件として設定することで、場所に応じた所望の動作モードに切り替えることができる。
【０００９】
さらに、近距離通信手段は、近距離通信により第２の位置情報を受信し、切替判定手段は、測位手段による測位が失敗した場合には、第１の位置情報に代えて第２の位置情報を用いて判定することも好ましい。この場合、衛星や無線基地局等を利用した測位が失敗した場合であっても、近距離無線によって補完させることで、電波受信環境が変化した場合であっても、位置に応じたモード切替の精度を維持することができる。
【００１０】
またさらに、切替判定手段は、測位手段による測位が失敗したか否かを、測位処理に用いる測位信号の受信可否によって判断することも好ましい。こうすれば、測位手段における測位の精度の良否を簡易かつ迅速に判断することができる。
【００１１】
さらにまた、切替情報格納手段は、切替条件として所定の時間を示す時間情報を含んで格納しており、切替判定手段は、現在の時刻が時間情報の示す時間内であるか否かを併せて判定することも好ましい。この場合、端末の利用形態と併せて時間を切替条件として設定することで、時間に応じた所望の動作モードに切り替えることができる。
【発明の効果】
【００１２】
本発明の携帯端末によれば、ユーザの利用形態に応じた適切な機能切替が可能となる。
【発明を実施するための最良の形態】
【００１３】
以下、図面とともに本発明による携帯端末の好適な実施形態について詳細に説明する。なお、図面の説明においては同一要素には同一符号を付し、重複する説明を省略する。
【００１４】
図１は、本発明による携帯端末の好適な一実施形態を示す概略構成図である。同図に示す携帯端末１は、移動体通信方式及び近距離無線方式によるデータ通信が可能な通信端末である。このような携帯端末の例としては、携帯電話機、ＰＨＳ（Personal Handyphone System）、ＰＤＡ（Personal Digital Assistance）といった情報通信機器が挙げられる。携帯端末１は、基地局２を介して移動体通信ネットワークＮと接続可能に構成されるとともに、非接触ＩＣ（Integrated Circuit）カード通信方式によりリーダライタ装置３との間でデータ通信が可能とされている。リーダライタ装置３は、自動販売機、改札ゲート等に設置された情報読取装置であり、非接触ＩＣカード部１２との間でデータ通信を行って電子商取引、個人認証等を目的とする情報処理を行うためのものである。
【００１５】
ここで、携帯端末１は、その構成要素として、通信部１１と、非接触ＩＣカード部（近距離通信手段）１２と、測位部（測位手段）１３と、入力部１４と、切替判定部（切替判定手段）１５と、モード切替部（モード切替手段）１６と、動作制御部１７と、切替情報格納手段としての第１切替情報格納部１８及び第２切替情報格納部１９とを含んで構成されている。以下、各構成要素について詳細に説明する。
【００１６】
通信部１１は、基地局２との間で無線通信を行うことにより、移動体通信ネットワークＮに接続された通信相手先の設備との間でデータを送受信する部分である。通信部１１は、通信方式として、ＰＤＣ（Personal Digital Cellular）方式、Ｗ−ＣＤＭＡ（Wideband-Code Division Multiple Access）方式、ＰＨＳ方式等の移動体通信方式を用いて音声通信及びデータ通信を行う。
【００１７】
非接触ＩＣカード部１２は、近距離通信の１つである非接触型ＩＣカード通信によってリーダライタ装置３との間でデータを送受信する部分である。非接触ＩＣカード部１２は、アンテナとＩＣチップとからなり、アンテナを用いてリーダライタ装置３との間で電磁波を送受信すると共に、ＩＣチップを用いてその電磁波に変調及び復調されているデータを対象とする演算処理を行う。
【００１８】
より詳細には、非接触ＩＣカード部１２は、リーダライタ装置３から、リーダライタ装置３の位置を示す「○○会社」等のＩＣカード位置情報（第２の位置情報）を受信する。また、ＩＣカード部１２は、リーダライタ装置３から、非接触ＩＣカード部１２の利用形態を示す「改札（Ｉｎ）」等の利用形態情報を受信する機能も有する。このＩＣカード位置情報、及び利用形態情報は、リーダライタ装置３の位置、及びリーダライタ装置３と非接触ＩＣカード部１２との間の演算処理の種別によって変化するので、ＩＣカード位置情報、及び利用形態情報を受信することで携帯端末１の位置及び利用形態を知ることができる。非接触ＩＣカード部１２は、受信したＩＣカード位置情報及び利用形態情報を切替判定部１５に出力する。
【００１９】
測位部１３は、ＧＰＳ（Global Positioning System）測位衛星から測位用信号を受信した後に測位処理を行うことにより、携帯端末１の位置（緯度、経度）に関するＧＰＳ位置情報（第１の位置情報）を取得する部分である。ここで、測位部１３は、ＧＰＳ測位衛星から測位信号を受信した後、自ら測位演算を行うことによってＧＰＳ位置情報を生成してもよいし、通信部１１を介して移動体通信ネットワークＮに接続されたサーバ等の測位演算用装置に測位演算を要求して、その測位演算用装置からＧＰＳ位置情報を取得するように動作してもよい。測位部１３は、取得したＧＰＳ位置情報と、測位処理の際に複数のＧＰＳ測位衛星から受信された測位用信号の受信電力Ｗ１〜Ｗｎとを切替判定部１５に出力する。
【００２０】
入力部１４は、携帯端末１に備えられた入力キー、ポインティングデバイス等を含む情報入力手段であり、携帯端末１のユーザからの切替条件及びモード情報の入力を受け付ける部分である。切替条件とは、携帯端末１の機能設定を切り替えるための条件を示す情報であり、モード情報とは、該当する切替条件が満たされた場合の切り替え先の動作モードを特定するための情報である。入力部１４は、ユーザから受け付けられたモード情報及び切替条件を、第１切替情報格納部１８及び第２切替情報格納部１９に、それぞれ分離して格納する。
【００２１】
図２は、第１切替情報格納部１８に格納されるモード情報を示すデータ構成図、図３は、第１切替情報格納部１９に格納される切替条件を示すデータ構成図である。図２に示すように、入力部１４が、ユーザからモード情報として、トップメニューに表示させるメニュー項目を示す設定種別１「メニュー１，メニュー２，・・・」、着信音の種別を示す設定種別２「着信音１」、及び電話帳表示機能で優先的に表示させる群を特定する設定種別３「グループ１優先表示」を受信すると、これらのモード情報を優先度「１」に関連づけて第１切替情報格納部１８に格納する。この優先度は、後述する切替判定部１５が判定処理の際に利用するモード情報の優先度を示すものである。
【００２２】
また、図３に示すように、入力部１４が、上記のモード情報に対応する切替条件として、時間情報に関する条件１：「平日・08:00〜24:00」、ＧＰＳ位置情報に関する条件２（エリア情報）「会社：N35,44,23.63 E130,40,5.36」、及びＩＣカード位置情報と利用形態情報とに関する条件３「○○会社」を受信すると、これらの切替条件を優先度「１」に関連づけて第２切替情報格納部１９に格納する。この優先度「１」をキーとして、第１切替情報格納部１８に格納されたモード情報と、第２切替情報格納部１９に格納された切替条件とが対応付けられることとなる。
【００２３】
ここで、図４には、入力部１４によるモード情報及び切替条件の受け付け時の入力画面の画面遷移を示す。同図においては、入力画面Ｄ０１が、該当箇所のポインティングデバイス等による選択入力に応じて、矢印のように入力画面Ｄ０２〜Ｄ０５に画面遷移することを表している。
【００２４】
すなわち、入力画面Ｄ０１において、優先度「１」で特定される切替条件及びモード情報のトップ画面が表示されており、切替条件である“時間”、“位置”、及び“ＩＣカード利用形態”等の該当箇所がクリック操作等で選択入力されると、時間情報に関する条件１の入力画面Ｄ０２、ＧＰＳ位置情報に関する条件２の入力画面Ｄ０３、及びＩＣカード位置情報、利用形態情報に関する条件３の入力画面Ｄ０４に遷移する。そこで、それぞれの入力画面Ｄ０２〜Ｄ０４においては、それぞれの切替条件の入力を受け付ける。また、入力画面Ｄ０１において、モード情報に関するメニューである“機能設定”が選択されると、入力画面Ｄ０５に遷移し、モード情報を入力するためのサブメニューが表示されるようになっている。
【００２５】
このような入力画面Ｄ０１〜Ｄ０５において、ユーザから切替条件及びモード情報を受け付けた後、入力部１４は、切替条件とモード情報とを対応付けて第１切替情報格納部１８及び第２切替情報格納部１９に格納することになる。
【００２６】
切替判定部１５は、非接触ＩＣカード部１２によって受信されたＩＣカード位置情報及び利用形態情報、及び測位部１３によって取得されたＧＰＳ位置情報に基づいて、第２切替情報格納部１９に格納されている切替条件を満たしているか否かを判定する部分である。
【００２７】
具体的には、切替判定部１５は、所定のタイミングで定期的に判定処理を起動させ、第２切替情報格納部１９から優先度の高い順に切替条件を読み出す。そして、切替判定部１５は、切替条件に条件１が設定されている場合は、現在時刻が時間情報である条件１の示す時間内にあるか否かを判定する。例えば、条件１が「平日・08:00〜24:00」であり、現在時刻が“2004/08/17（火） 10:15:20”である場合は、判定結果“OK”と判定する。
【００２８】
さらに、切替判定部１５は、切替条件に条件１及び２が設定されている場合は、ＧＰＳ位置情報で特定される位置が、エリア情報である条件２の示すエリア内にあるか否かを判定する。例えば、条件２が「N35,44,23.63 E130,40,5.36」であり、ＧＰＳ位置情報が“（X1,Y1）”である場合は、ＧＰＳ位置情報“（X1,Y1）”の示す位置が、“N35,44,23.63 E130,40,5.36”の位置から所定距離ｒ［ｋｍ］内である場合に、判定結果“OK”と判定する。
【００２９】
また、切替判定部１５は、切替条件に条件３が設定されている場合は、ＩＣカード位置情報及び利用形態情報が、条件３の示すＩＣカード位置情報及び利用形態情報に一致するか否かを判定する。例えば、条件３が「○○駅（Ｉｎ／Ｏｕｔ）」である場合は、ＩＣカード位置情報及び利用形態情報が、この条件３に一致する場合に、判定結果“OK”と判定する。ここで、非接触ＩＣカード部１２において受信されるＩＣカード位置情報及び利用形態情報、又は第２切替情報格納部１９に格納される条件３は、コード記号等の識別情報として受信、格納されていてもよいことは言うまでもない。
【００３０】
また、切替判定部１５は、測位部１３による測位処理が失敗した場合であって、切替条件として、条件２及び３が設定されている場合は、ＧＰＳ位置情報と条件２とを用いた判定に代えて、ＩＣカード位置情報と条件３とを用いた判定処理を行う。すなわち、切替条件として条件２「会社：N35,44,23.63 E130,40,5.36」及び条件３「○○会社」が設定されている場合は、リーダライタ装置３から受信されたＩＣカード位置情報が条件３「○○会社」に一致しているかの判定を行い、ＧＰＳ位置情報を用いた判定処理は行わない。なお、切替判定部１５は、測位部１３による測位処理が失敗したか否かを、測位信号の受信可否によって判断する。より詳細には、切替判定部１５は、測位信号の受信可否を、測位用信号の受信電力Ｗ１〜Ｗｎが一定値Ｗ０以上であるものが一定数Ｎ以上存在しているか否かにより判断する。また、切替判定部１５は、上述のような判定により得られた判定結果“OK/NG”と、判定に用いた切替条件に対応する優先度とをモード切替部１６に出力する。
【００３１】
モード切替部１６は、切替判定部１５によって切替条件を満たしていると判定された場合に、第１切替情報格納部１８を参照することにより、携帯端末１の機能設定を、切替条件に対応する動作モードに切り替える部分である。例えば、モード切替部１６は、切替判定部１５から判定結果“ＯＫ”及び優先度“１”とを受け取った場合には、優先度“１”に基づいて第１切替情報格納部１８を参照して、優先度が一致するデータを読み出す。図２の例によれば、モード切替部１６は、優先度“１”に対応付けられている設定種別１：トップメニュー「メニュー１，メニュー２，・・・」、設定種別２：着信音「着信音１」、及び設定種別３：電話帳表示「グループ１優先表示」等のモード情報を読み出して、これらのモード情報によって示される機能設定に切り替えるように、動作制御部１７に指示する。
【００３２】
動作制御部１７は、携帯端末１におけるメニュー画面の出力内容、着信音の出力、電話帳機能における出力内容等の携帯端末１における各種出力処理を制御する部分である。また、動作制御部１７は、モード切替部１６からモード情報を含む切替指示を受け取ると、そのモード情報に従ってメニュー画面の出力内容、着信音の種類、電話帳機能における出力内容等を変更するように制御する。例えば、動作制御部１７は、モード情報として設定種別１：トップメニュー「メニュー１，メニュー２，・・・」を受け取ると、携帯端末１のディスプレイのトップメニューを“メニュー１，メニュー２，・・・”の順で表示するように制御する。このような制御の方法としては、ＲＡＭ（Random Access Memory）等のメモリに格納されている動作パラメータを書き換える方法、携帯端末１上に常駐しているプログラムに対して動作パラメータを通知する方法等を用いる。
【００３３】
次に、図５を参照しながら携帯端末１の動作について説明するとともに、併せて携帯端末１におけるモード切替方法について詳述する。図５は、携帯端末１の動作を示すフローチャートである。
【００３４】
まず、切替判定部１５は、定期的に判定処理を起動させた後、第２切替情報格納部１９を参照して優先度が高い順に切替条件を読み出す（ステップＳ１）。そして、切替判定部１５は、現在時刻が時間情報である条件１の示す時間内にあるか否かを判定する（ステップＳ２）。判定の結果、現在時刻が条件１の示す時間内にない場合は（ステップＳ２；ＮＯ）、処理をステップＳ１１に移行し、次の切替条件に関する判定を行う。
【００３５】
一方、現在時刻が時間情報である条件１の示す時間内にある場合は（ステップＳ２；ＹＥＳ）、非接触ＩＣカード部１２においてＩＣカード位置情報及び利用形態情報が受信され、切替判定部１５に出力される（ステップＳ３）。また、同時に、切替判定部１５から測位部１３に対して測位要求が出力される（ステップＳ４）。これに対して、測位部１３において測位処理が行われ、測位部１３から切替判定部１５に対してＧＰＳ位置情報及び測位用信号の受信電力Ｗ１〜Ｗｎが出力される（ステップＳ５）。
【００３６】
その後、切替判定部１５は、測位用信号の受信電力Ｗ１〜Ｗｎが一定値Ｗ０以上であるものが一定数Ｎ以上存在しているか否かにより、測位信号の受信可否を判定する（ステップＳ６）。判定の結果、測位信号が受信不可であると判定された場合は（ステップＳ６；ＮＯ）、ＧＰＳ位置情報に代えてＩＣカード位置情報を用いて切替条件に関する判定を行う（ステップＳ７）。そして、切替判定部１５は、切替条件に含まれる条件２及び３に基づいて、ＧＰＳ位置情報、ＩＣカード位置情報、及び利用形態情報が切替条件を満たしているか否かを判定する（ステップＳ８）。
【００３７】
判定の結果、切替条件を満たしている場合には（ステップＳ８；ＹＥＳ）、モード切替部１６によって、切替条件に対応するモード情報が、第１切替情報格納部１８から読み出される（ステップＳ９）。その後、モード切替部１６から動作制御部１７に指示されることにより、携帯端末１の機能設定がモード情報によって特定される動作モードに切り替えられる（ステップＳ１０）。
【００３８】
一方、切替条件を満たしていない場合には（ステップＳ８；ＮＯ）、切替判定部１５は、第２切替情報格納部１９を参照して、次に優先度の高い切替条件が存在するか否かを判定する（ステップＳ１１）。判定の結果、切替条件が存在する場合には（ステップＳ１１；ＮＯ）、処理をステップＳ１に戻す。一方、切替条件が存在しない場合には（ステップＳ１１；ＹＥＳ）、モード切替処理を終了する。
【００３９】
以上説明した携帯端末１によれば、第２切替情報格納部１９及び第１切替情報格納部１８が、切替条件に関するデータと切替先の動作モードに関するデータとを関連づけて格納し、切替判定部が、非接触ＩＣカード部１２によって受信されたＩＣカード位置情報及び利用形態情報に基づいて、第２切替情報格納部１９に格納されている切替条件を満たしているかを判定し、モード切替部１６が、切替条件を満たしている場合に、機能設定をその切替条件に対応する動作モードに切り替える。これにより、近距離通信を利用して実行される機能の利用形態に応じて、機能設定を所望の動作モードに切り替えることができる。
【００４０】
また、切替判定部１５が、ＧＰＳ位置情報で特定される位置が、切替条件の示す所定のエリア内にあるか否かを併せて判定するので、端末の利用形態と併せて位置を切替条件として設定することで、場所に応じた所望の動作モードに切り替えることができる。
【００４１】
また、測位部１３による測位が失敗した場合には、ＧＰＳ位置情報に代えてＩＣカード位置情報を用いて判定するので、測位衛星や無線基地局等を利用した測位が失敗した場合であっても、近距離無線によって補完させることで、電波受信環境が変化した場合であっても、位置に応じたモード切替の精度を維持することができる。この場合、測位部１３による測位が失敗したか否かを、測位処理に用いる測位用信号の受信可否によって判断するので、測位手段における測位の精度の良否を簡易かつ迅速に判断することができる。
【００４２】
また、現在の時刻が切替条件の示す時間内であるか否かを併せて判定するので、端末の利用形態と併せて時間を切替条件として設定することで、時間に応じた所望の動作モードに切り替えることができる。
【００４３】
なお、本発明は上述した各実施形態に限定されるものではない。例えば、携帯端末１の近距離通信手段においては、近距離無線方式としてBluetooth（登録商標）、無線ＬＡＮ通信方式、及び赤外線通信方式等の他の方式を採用しても良い。
【００４４】
また、携帯端末１の測位部１３においては、ＧＰＳ測位衛星から受信される測位用信号を用いて測位処理を行っているが、これは、基地局２から受信される報知情報等を用いて、携帯端末１の位置する基地局エリア又はセクタを特定することにより測位処理を行うように動作してもよい。この場合、切替判定部１５は、測位処理が失敗したか否かの判定を、基地局２からの報知情報の受信可否を判断することよって行う。
【図面の簡単な説明】
【００４５】
【図１】本発明による携帯端末の好適な一実施形態を示す概略構成図である。
【図２】図１の第１切替情報格納部に格納されるモード情報を示すデータ構成図である。
【図３】図１の第２切替情報格納部に格納される切替条件を示すデータ構成図である。
【図４】図１の入力部によるモード情報及び切替条件の受け付け時の入力画面の画面遷移を示す図である。
【図５】本発明による携帯端末の動作を示すフローチャートである。
【符号の説明】
【００４６】
１…携帯端末、２…基地局、３…リーダライタ装置、１１…通信部、１２…非接触ＩＣカード部、１３…測位部、１４…入力部、１５…切替判定部、１６…モード切替部、１７…動作制御部、１８…第１切替情報格納部、１９…第２切替情報格納部、Ｎ…移動体通信ネットワーク。
【図１】
2006050262.tif 000003
【図２】
2006050262.tif 000004
【図３】
2006050262.tif 000005
【図４】
2006050262.tif 000006
【図５】
2006050262.tif 000007